(57)【要約】      （修正有）【課題】Ｆ２．４以下の明るさを持つ５枚構成で小型な撮像レンズを提供する。【解決手段】撮像レンズ１０は、物体側より順に、正の第１レンズＬ１と、像側に凹面を向けた負の第２レンズＬ２と、第３レンズＬ３と、第４レンズＬ４と、像側に凹面を向けた第５レンズＬ５とからなり、第１レンズＬ１は最も屈折力の強いレンズあり、第３レンズＬ３よりも物体側に開口絞りＳが配置され、全レンズはプラスチック材料で形成され、第４レンズＬ４の両面は非球面形状を有し、位置Ｐ１，Ｐ２に極値を有し、第５レンズＬ５の像側面Ｓ５２は非球面形状を有し、位置Ｐ３に極値を有し、以下の条件式を満足する。−１０＜ν２−ν３＜２５…（１）、０．０８＜Ｄ６／ｆ＜０．３０…（２）ただし、ν３は第３レンズＬ３、ν２は第２レンズＬ２のアッベ数で、Ｄ６は第３レンズＬ３と第４レンズＬ４との空気間隔で、ｆは撮像レンズ１０全系の焦点距離。【選択図】図１
2015087495.tif 000002
【特許請求の範囲】
【請求項１】
物体側より順に、
正の屈折力を有する第１レンズと、
負の屈折力を有し、光軸近傍で像側に凹面を向けた第２レンズと、
第３レンズと、
第４レンズと、
光軸近傍で像側に凹面を向けたメニスカス形状の第５レンズと、からなり、
前記第１レンズは前記第１乃至第５レンズの中でも最も屈折力の強いレンズあり、
前記第３レンズよりも物体側に開口絞りが配置され、
前記第１乃至第５レンズはプラスチック材料で形成されており、
前記第４レンズの物体側面及び像側面は非球面形状を有し、かつ光軸との交点以外の位置に極値を有し、
前記第５レンズの像側面は非球面形状を有し、かつ光軸との交点以外の位置に極値を有し、
以下の条件式を満足することを特徴とする撮像レンズ。
−１０＜ν２−ν３＜２５    …    （１）
０．０８＜Ｄ６／ｆ＜０．３０    …    （２）
ただし、
ν３：前記第３レンズのアッベ数
ν２：前記第２レンズのアッベ数
Ｄ６：前記第３レンズと前記第４レンズとの光軸上の空気間隔
ｆ：撮像レンズ全系の焦点距離
【請求項２】
以下の条件式を満足することを特徴とする請求項１に記載の撮像レンズ。
２０＜ν３＜４８    …    （３）
ただし、
ν３：前記第３レンズのアッベ数
【請求項３】
以下の条件式を満足することを特徴とする請求項１及び２のいずれか一項に記載の撮像レンズ。
２０＜ν１−ν２＜７０    …    （４）
ただし、
ν１：前記第１レンズのアッベ数
ν２：前記第２レンズのアッベ数
【請求項４】
以下の条件式を満足することを特徴とする請求項１から３までのいずれか一項に記載の撮像レンズ。
１．００＜ｄ９／ｄ７＜４．００    …    （５）
ただし、
ｄ９：前記第５レンズの光軸上の厚み
ｄ７：前記第４レンズの光軸上の厚み
【請求項５】
以下の条件式を満足することを特徴とする請求項１から４までのいずれか一項に記載の撮像レンズ。
０．８０＜ｆ１２／ｆ＜１．５０    …    （６）
ただし、
ｆ１２：前記第１レンズと前記第２レンズとの合成焦点距離
ｆ：撮像レンズ全系の焦点距離
【請求項６】
前記第３レンズの像側面の周辺部は負の屈折力を有することを特徴とする請求項１から５までのいずれか一項に記載の撮像レンズ。
【請求項７】
前記第４レンズは負の屈折力を有することを特徴とする請求項１から６までのいずれか一項に記載の撮像レンズ。
【請求項８】
前記第２乃至第４レンズは同じ材料で構成されていることを特徴とする請求項１から７までのいずれか一項に記載の撮像レンズ。
【請求項９】
実質的にパワーを持たない光学素子をさらに有することを特徴とする請求項１から８までのいずれか一項に記載の撮像レンズ。
【請求項１０】
請求項１から９までのいずれか一項に記載の撮像レンズと、撮像素子とを備えることを特徴とする撮像装置。
【請求項１１】
絞り径が可変な小絞り機構をさらに有することを特徴とする請求項１０に記載の撮像装置。
【請求項１２】
前記小絞り機構は開口絞りを兼ねていることを特徴とする請求項１１に記載の撮像装置。
【請求項１３】
請求項１０から１２までのいずれか一項に記載の撮像装置を備えることを特徴とする携帯端末。
【発明の詳細な説明】
【技術分野】
【０００１】
本発明は、小型の撮像レンズ、並びにこれを備える撮像装置及び携帯端末に関する。
【背景技術】
【０００２】
近年、ＣＣＤ（Charge Coupled Device）型イメージセンサー或いはＣＭＯＳ（Complementary Metal Oxide Semiconductor）型イメージセンサー等の固体撮像素子を用いた撮像素子の高性能化及び小型化に伴い、撮像装置を備えた携帯電話や携帯情報端末が普及している。また、これらの撮像装置に搭載される撮像レンズには、さらなる小型化及び高性能化への要求が高まっている。このような用途の撮像レンズとしては、３枚或いは４枚構成のレンズに比べ高性能化が可能であるということで、５枚構成の撮像レンズが提案されている。
【０００３】
このような５枚構成の撮像レンズとして、物体側より順に正の屈折力を有する第１レンズ、負の屈折力を有する第２レンズ、正の屈折力を有する第３レンズ、負の屈折力を有する第４レンズ、及び正の屈折力を有する第５レンズで構成された撮像レンズが開示されている（例えば特許文献１参照）。
【０００４】
また、特許文献１に記載の撮像レンズと同様の構成であり、物体側より順に正の屈折力を有する第１レンズ、負の屈折力を有する第２レンズ、正の屈折力を有する第３レンズ、負の屈折力を有する第４レンズ、正の屈折力を有する第５レンズで構成された撮像レンズが開示されている（例えば特許文献２参照）。
【０００５】
しかしながら、特許文献１に記載の撮像レンズは、第１レンズから第４レンズまでの比較的パワーを持ったレンズの後方に、パワーの弱い像面補正のためのレンズを配置した構成となっている。そのため、撮像レンズ全系での収差補正が不十分で、さらにレンズ全長を短縮化すると、性能の劣化により撮像素子の高画素化に対応することが困難になるという問題がある。
【０００６】
また、特許文献２に記載の撮像レンズは、第１レンズから第３レンズまでで撮像レンズ全系の屈折力のほとんどを担っており、第４レンズ及び第５レンズは屈折力の弱い像面補正レンズとしての効果しかなく、第４レンズ及び第５レンズの材料が同じであるものもある。そのため、さらにレンズ全長を短縮化すると、色収差を含めた軸外諸収差の補正が不十分となり、性能の劣化により撮像素子の高画素化に対応することが困難になるという問題がある。また、Ｆナンバーも最も明るくてＦ２．４程度であり、近年の高画素化及び高性能化への対応ができているとはいいがたい。
【先行技術文献】
【特許文献】
【０００７】
【特許文献２】特開２００９−２９４５２７号公報
【特許文献３】米国特許第８０００３１号明細書
【０００８】
本発明は、従来タイプより小型でありながらも、諸収差が良好に補正された、Ｆ２．４以下になるような明るさを持つ５枚構成の撮像レンズを提供することを目的とする。
【０００９】
また、本発明は、上記撮像レンズを備えた撮像装置及び当該撮像装置を備えた携帯端末を提供することを目的とする。
【００１０】
ここで、小型の撮像レンズの尺度であるが、本発明では下式を満たすレベルの小型化を目指している。この範囲を満たすことで、撮像装置全体の小型軽量化が可能となる。
Ｌ／２Ｙ＜０．９０    …    （７）
ただし、
Ｌ：撮像レンズ全系の最も物体側のレンズ面から像側焦点までの光軸上の距離
２Ｙ：撮像素子の撮像面対角線長（撮像素子の矩形実効画素領域の対角線長）
【００１１】
ここで、像側焦点とは撮像レンズに光軸と平行な平行光線が入射した場合の像点をいう。なお、撮像レンズの最も像側の面と像側焦点位置との間に、光学的ローパスフィルター、赤外線カットフィルター、又は撮像素子パッケージのシールガラス等の平行平板が配置される場合には、平行平板部分は空気換算距離としたうえで上記Ｌの値を計算するものとする。
【００１２】
値Ｌ／２Ｙについては、より望ましくは下式の範囲とする。
Ｌ／２Ｙ＜０．８５    …    （７）'
【００１３】
上記目的を達成するため、本発明に係る撮像レンズは、物体側より順に、正の屈折力を有する第１レンズと、負の屈折力を有し、光軸近傍で像側に凹面を向けた第２レンズと、第３レンズと、第４レンズと、光軸近傍で像側に凹面を向けたメニスカス形状の第５レンズと、からなり、第１レンズは第１乃至第５レンズの中で最も屈折力の強いレンズあり、第３レンズよりも物体側に開口絞りが配置され、第１乃至第５レンズはプラスチック材料で形成されており、第４レンズの物体側面及び像側面は非球面形状を有し、かつ光軸との交点以外の位置に極値を有し、第５レンズの像側面は非球面形状を有し、かつ光軸との交点以外の位置に極値を有し、以下の条件式を満足する。
−１０＜ν２−ν３＜２５    …    （１）
０．０８＜Ｄ６／ｆ＜０．３０    …    （２）
ただし、
ν３：第３レンズのアッベ数（以下同様）
ν２：第２レンズのアッベ数（以下同様）
Ｄ６：第３レンズと第４レンズとの光軸上の空気間隔
ｆ：撮像レンズ全系の焦点距離（以下同様）
【００１４】
上記撮像レンズにおいて、小型で収差が良好に補正された撮像レンズを得るための、本発明に係る基本構成は、正の屈折力を有する第１レンズ、負の屈折力を有し光軸近傍で像側に凹面を向けた第２レンズ、第３レンズ、第４レンズ、及び光軸近傍で像側に凹面を向けたメニスカス形状の第５レンズからなるものである。また、第１レンズから第５レンズまでの中で第１レンズが最も強い屈折力を持つ構成となっている。撮像レンズの全レンズの中で第１レンズを最も屈折力の強いレンズとすることで、撮像レンズ全系の合成主点位置をより物体側へ配置することができる。これにより、撮像レンズ全長を短縮することができる。また、第２レンズの像側面を凹面形状とすることで、比較的強い発散面を光線通過高さの高い、より物体側のレンズに配置することができるため、像面歪曲や色収差の補正に有利となる。
また、全てのレンズをプラスチックレンズで構成することにより、曲率半径や外径の小さなレンズあっても安価に大量生産することができる。また、プラスチックレンズは、プレス温度を低くすることができることから、成形金型の損耗を抑えることができる。その結果、成形金型の交換回数やメンテナス回数を減少させ、コスト低減を図ることができる。さらに、プラスチック材料は軽量であるため、フォーカシングのためにレンズ系全体を動かす際のアクチュエーターへの負荷を軽減させることができる。
また、開口絞りから離れるにしたがって、各増高の光線がレンズ面の異なる位置を通過することになるが、開口絞りから比較的離れた位置にある第４レンズの両面を非球面形状とすることで、各像高の収差補正を個別に行いやすくなり、画面全体にわたって良好な画像を得ることができる。さらに、第４レンズを両面に極値を有するような非球面形状とすることで、上述の収差補正効果が高まるとともに、像側光束のテレセントリック特性を良好にすることができる。ここで、極値とは、有効半径内でのレンズ断面形状の曲線において、非球面頂点の接平面又は接線が光軸と垂直な平面又は線分となるような非球面上の点のことである。
また、最も像側に配置された第５レンズの像側面を凹面形状とすることで、バックフォーカスを確保しやすくなる。また、第５レンズの像側面を非球面とすることで、画面周辺部での諸収差を良好に補正することができる。さらに、第５レンズの像側面を光軸との交点以外の位置に極値を持つ非球面形状とすることで、像側光束のテレセントリック特性を良好にすることができる。
【００１５】
上記撮像レンズにおいて、条件式（１）は、撮像レンズ全系の色収差を良好に補正するための条件式である。第２レンズ及び第３レンズの材料を条件式（１）を満足するように設定することによって、撮像レンズの小型化に伴って不十分となりがちな色収差補正を良好に行うことができる。
値ν２−ν３については、より望ましくは下式の範囲とする。
−８＜ν２−ν３＜２４    …    （１）'
【００１６】
条件式（２）は、良好な収差補正と撮像レンズ全長の短縮化とを両立するための条件式である。条件式（２）の下限を上回ることで、第３レンズと第４レンズとを適度に離間させることができる。これにより、第４レンズを通過する光線を像高毎に分離させやすくなるため、上述の通り、第４レンズでの像高毎の収差補正がしやすくなり、第４レンズの両面が非球面形状であり、かつ両面に極値を持つ形状であることの効果を増大させることができる。一方、条件式（２）の上限を下回ることで、第３レンズと第４レンズとの間隔が空きすぎることがなくなり、結果として撮像レンズ全長を短縮することができる。
値Ｄ６／ｆについては、より望ましくは下式の範囲とする。
０．１０＜Ｄ６／ｆ＜０．２０    …    （２）'
【００１７】
本発明の具体的な側面では、上記撮像レンズにおいて、以下の条件式を満足する。
２０＜ν３＜４８    …    （３）
【００１８】
条件式（３）は、第３レンズのアッベ数を適切に設定し、色収差の補正を良好に行うための条件式である。第２レンズ及び第３レンズの材料を上記条件式（１）を満足するような組み合わせとしたうえで、さらに条件式（３）の範囲となる材料を使用することで、撮像レンズ全系の色収差をより良好に補正することができる。
値ν３については、より望ましくは下式の範囲とする。
２１＜ν３＜４６    …    （３）'
【００１９】
本発明の別の側面では、以下の条件式を満足する。
２０＜ν１−ν２＜７０    …    （４）
ただし、
ν１：第１レンズのアッベ数
【００２０】
条件式（４）は、撮像レンズ全系の色収差を良好に補正するための条件式である。条件式（４）の下限を上回ることで、軸上色収差や倍率色収差等の色収差をバランス良く補正することができる。一方、条件式（４）の上限を下回ることで、入手しやすい硝材で構成することができる。
値ν１−ν２については、より望ましくは下式の範囲とする。
２５＜ν１−ν２＜４５    …    （４）'
【００２１】
本発明のさらに別の側面では、以下の条件式を満足する。
１．００＜ｄ９／ｄ７＜４．００    …    （５）
ただし、
ｄ９：第５レンズの光軸上の厚み
ｄ７：第４レンズの光軸上の厚み
【００２２】
条件式（５）は、第４レンズ及び第５レンズの光軸上の厚みを適切に設定するための条件式である。条件式（５）の下限を上回ることで、最終レンズである第５レンズの厚みを第４レンズの厚みと比較して適度に厚くすることができる。第５レンズは極値を持つ形状となっており、周辺部で正の屈折力を有するため、厚みを適度に厚くすることで周辺部での光路長を長く取ることができる。そのため、良好なテレセントリック特性の確保や歪曲収差補正等に有利となる。一方、条件式（５）の上限を下回ることで、第４レンズが薄くなりすぎたり、極度に第５レンズが厚くなりすぎたりすることがなくなる。そのため、第４及び第５レンズの良好な成形性を保ちつつ、撮像レンズ全長の短縮に有利となる。
値ｄ９／ｄ７については、より望ましくは下式の範囲とする。
１．２０＜ｄ９／ｄ７＜３．５０    …    （５）'
【００２３】
本発明のさらに別の側面では、以下の条件式を満足する。
０．８０＜ｆ１２／ｆ＜１．５０    …    （６）
ただし、
ｆ１２：第１レンズと第２レンズとの合成焦点距離
【００２４】
条件式（６）は、第１レンズと第２レンズとの合成焦点距離を適切に設定するための条件式である。条件式（６）の上限を下回ることで、第１レンズと第２レンズとの合成屈折力を適度に維持することができ、撮像レンズ全長を短縮することができる。一方、条件式（６）の下限を上回ることで、必要以上に合成屈折力が強くなりすぎず、第１レンズと第２レンズとで発生する収差を抑制し、製造誤差に対する性能劣化を小さくすることにもつながる。
値ｆ１２／ｆについては、より望ましくは下式の範囲とする。
０．９０＜ｆ１２／ｆ＜１．４０    …    （６）'
【００２５】
本発明のさらに別の側面では、第３レンズの像側面の周辺部は負の屈折力を有する。ここで、周辺部とは、光学的有効領域の縁部分を意味する。第３レンズの像側面の周辺部を発散作用を持つ負の屈折力とすることで、周辺光に対して第２レンズと負の屈折力を分担することができるようになる。そのため、良好な収差補正をしつつも第２レンズの周辺の負の屈折力を適度に抑えることで、製造誤差発生時の第２レンズでの性能劣化を抑制することができる。
【００２６】
本発明のさらに別の側面では、第４レンズは負の屈折力を有する。第４レンズを負レンズとすることで、撮像レンズ系に負レンズを２枚以上使用することができる。そのため、発散作用を有する面を多くしてペッツバール和の補正を容易とし、画面周辺部まで良好な結像性能を確保した撮像レンズを得ることができる。
【００２７】
本発明のさらに別の側面では、第２乃至第４レンズは同じ材料で構成されている。第２レンズから第４レンズまでのレンズを同じ材料で構成することにより、撮像レンズ系の色収差を良好に補正しつつも生産工程での材料混同等の不具合を低減させることができる。
【００２８】
本発明のさらに別の側面では、実質的にパワーを持たない光学素子をさらに有する。
【００２９】
上記目的を達成するため、本発明に係る撮像装置は、上述の撮像レンズと、撮像素子とを備える。本発明の撮像レンズを用いることで、広角でＦ２．４以下の明るい小型で諸収差が良好に補正された撮像装置を得ることができる。
【００３０】
本発明の具体的な側面では、上記撮像装置において、絞り径が可変な小絞り機構をさらに有する。ここで、小絞り機構とは、機械的な絞り羽等を有する小絞り機構のみを指すのではなく、例えば液晶素子等を使用した電気的な小絞り機構であってもよい。Ｆ２．４以下になるような明るさを有する光学系では、被写界深度が浅くなってしまい、合焦時のアクチュエーターには高精度な止まり精度が要求されることになる。そこで、暗所撮影等のレンズ系に明るさが要求されるような場面以外の撮影時には、被写界深度を深くする目的で小絞り機構を搭載することが望ましい。また、大口径化によるトレードオフは、被写界深度だけではなく、近距離への合焦時のコマ収差の発生が挙げられる。Ｆナンバーの明るい光学系では、近距離合焦時に大きなコマ収差が発生し、ＭＴＦカーブのピーク値が潰れてしまうといった現象が発生しやすい。そこで、撮像装置に小絞り機構を搭載することで、近距離撮影時にだけ小絞り状態にすれば、近距離でも良好な性能を確保することができる。
【００３１】
本発明の別の側面では、小絞り機構は開口絞りを兼ねている。上述の小絞り機構が開口絞りを兼ねることで、小絞り時の周辺光線束のケラレを最小限に抑えることができる。これにより、小絞り時の周辺光量比低下等の不具合を低減することができる。
【００３２】
上記目的を達成するため、本発明に係る携帯端末は、上述のように広角でＦ２．４以下になるような明るさを持ち小型で諸収差が良好に補正された撮像装置を備える。
【図面の簡単な説明】
【００３３】
【図１】本発明の一実施形態の撮像レンズを備える撮像装置を説明する図である。
【図２】図１の撮像装置を備える携帯端末を説明するブロック図である。
【図３】（Ａ）及び（Ｂ）は、それぞれ携帯端末の表面側及び裏面側の斜視図である。
【図４】実施例１の撮像レンズの断面図である。
【図５】（Ａ）〜（Ｅ）は、実施例１の撮像レンズの収差図である。
【図６】実施例２の撮像レンズの断面図である。
【図７】（Ａ）〜（Ｅ）は、実施例２の撮像レンズの収差図である。
【図８】実施例３の撮像レンズの断面図である。
【図９】（Ａ）〜（Ｅ）は、実施例３の撮像レンズの収差図である。
【図１０】実施例４の撮像レンズの断面図である。
【図１１】（Ａ）〜（Ｅ）は、実施例４の撮像レンズの収差図である。
【図１２】実施例５の撮像レンズの断面図である。
【図１３】（Ａ）〜（Ｅ）は、実施例５の撮像レンズの収差図である。
【図１４】実施例６の撮像レンズの断面図である。
【図１５】（Ａ）〜（Ｅ）は、実施例６の撮像レンズの収差図である。
【図１６】実施例７の撮像レンズの断面図である。
【図１７】（Ａ）〜（Ｅ）は、実施例７の撮像レンズの収差図である。
【図１８】実施例８の撮像レンズの断面図である。
【図１９】（Ａ）〜（Ｅ）は、実施例８の撮像レンズの収差図である。
【発明を実施するための形態】
【００３４】
以下、図１等を参照して、本発明の一実施形態である撮像レンズについて説明する。なお、図１で例示した撮像レンズ１０は、後述する実施例１の撮像レンズ１１と同一の構成となっている。
【００３５】
図１は、本発明の一実施形態である撮像レンズを備えるカメラモジュールを説明する断面図である。
【００３６】
カメラモジュール５０は、被写体像を形成する撮像レンズ１０と、撮像レンズ１０によって形成された被写体像を検出する撮像素子５１と、この撮像素子５１を背後から保持するとともに配線等を有する配線基板５２と、撮像レンズ１０等を保持するとともに物体側からの光束を入射させる開口部ＯＰを有する鏡筒部５４と、小絞り機構５６とを備える。撮像レンズ１０は、被写体像を撮像素子５１の像面又は撮像面（被投影面）Ｉに結像させる機能を有する。このカメラモジュール５０は、後述する撮像装置１００に組み込まれて使用されるが、単独でも撮像装置と呼ぶものとする。
【００３７】
撮像レンズ１０は、撮像素子５１の撮像面（被投影面）Ｉに被写体像を結像させるものであって、物体側から順に、第１レンズＬ１と、第２レンズＬ２と、第３レンズＬ３と、第４レンズＬ４と、第５レンズＬ５とを備える。開口絞りＳは、第１レンズＬ１の物体側面Ｓ１１から第３レンズＬ３の物体側面Ｓ３１までの間に配置されている。この撮像レンズ１０は、小型であり、その尺度として、以下の式（７）を満たすレベルの小型化を目指している。
Ｌ／２Ｙ＜０．９０    …    （７）
ここで、Ｌは撮像レンズ１０全系の最も物体側のレンズ面（物体側面Ｓ１１）から像側焦点までの光軸ＡＸ上の距離であり、２Ｙは撮像素子５１の撮像面対角線長（撮像素子５１の矩形実効画素領域の対角線長）である。像側焦点とは撮像レンズ１０に光軸ＡＸと平行な平行光線が入射した場合の像点をいう。この範囲を満たすことで、カメラモジュール５０全体の小型軽量化が可能となる。
【００３８】
なお、撮像レンズ１０の最も像側の面（像側面Ｓ５２）と像側焦点位置との間に、光学的ローパスフィルター、赤外線カットフィルター、または撮像素子パッケージのシールガラス等の平行平板Ｆが配置される場合には、平行平板Ｆ部分は空気換算距離としたうえで上記Ｌの値を計算するものとする。また、値Ｌ／２Ｙは、より望ましくは下式の範囲とする。
Ｌ／２Ｙ＜０．８５    …    （７）'
【００３９】
撮像素子５１は、固体撮像素子からなるセンサーチップである。撮像素子５１の光電変換部５１ａは、ＣＣＤ（電荷結合素子）やＣＭＯＳ（相補型金属酸化物半導体）からなり、入射光をＲＧＢ毎に光電変換し、そのアナログ信号を出力する。受光部としての光電変換部５１ａの光電変換面は、像面又は撮像面（被投影面）Ｉとなっている。
【００４０】
配線基板５２は、撮像素子５１を他の部材（例えば鏡筒部５４）に対してアライメントして固定する役割を有する。配線基板５２は、外部回路から撮像素子５１や駆動機構５５ａを駆動するための電圧や信号の供給を受けたり、また、検出信号を上記外部回路へ出力したりすることを可能としている。
【００４１】
撮像素子５１の撮像レンズ１０側には、不図示のホルダー部材によって、平行平板Ｆが撮像素子５１等を覆うように配置・固定されている。
【００４２】
鏡筒部５４は、撮像レンズ１０を収納し保持している。鏡筒部５４は、撮像レンズ１０を構成するレンズＬ１〜Ｌ５のうちいずれか１つ以上のレンズを光軸ＡＸに沿って移動させることにより、撮像レンズ１０の合焦の動作を可能にするため、例えば駆動機構５５ａを有している。駆動機構５５ａは、特定又は全レンズを光軸ＡＸに沿って往復移動させる。駆動機構５５ａは、例えばボイスコイルモーターとガイドとを備える。なお、駆動機構５５ａをボイスコイルモーター等の代わりにステッピングモーター等で構成することができる。
【００４３】
小絞り機構５６は、開放時以外の絞りとして機能する。本実施形態において、小絞り機構５６は開口絞りＳを兼ねている。小絞り機構５６は、鏡筒部５４内であり、撮像レンズ１０の最も物体側に設けられている。小絞り機構５６は、絞り径が可変である絞り５６ａと、絞り５６ａを移動又は動作させる駆動部５６ｂとを有する。小絞り機構５６は、機械的な絞り羽等を有する小絞り機構のみを指すのではなく、例えば液晶素子等を使用した電気的な小絞り機構であってもよい。また、絞り５６ａを構成する絞り羽は、複数の羽等で形成される円形のリング状であってもよいし、２枚以上の羽をスライドさせて開口を形成するものであってもよい。駆動部５６ｂには、アクチュエーターやモーター等を用いることができる。Ｆ２．４以下になるような明るさを有する光学系では、被写界深度が浅くなってしまい、合焦時のアクチュエーターには高精度な止まり精度が要求されることになる。そこで、暗所撮影等のレンズ系に明るさが要求されるような場面以外の撮影時には、被写界深度を深くする目的で小絞り機構５６を搭載することが望ましい。また、大口径化によるトレードオフは、被写界深度だけではなく、近距離への合焦時のコマ収差の発生が挙げられる。Ｆナンバーの明るい光学系では、近距離合焦時に大きなコマ収差が発生し、ＭＴＦカーブのピーク値が潰れてしまうといった現象が発生しやすい。そこで、撮像装置１００に小絞り機構５６を搭載することで、近距離撮影時にだけ小絞り状態にすれば、近距離でも良好な性能を確保することができる。また、小絞り機構５６が開口絞りＳを兼ねることで、小絞り時の周辺光線束のケラレを最小限に抑えることができる。これにより、小絞り時の周辺光量比低下等の不具合を低減することができる。なお、実施形態において、開口絞りＳとは別体として小絞り機構５６を設けてもよい。また、小絞り機構５６を設けなくてもよい。
【００４４】
次に、図２、図３（Ａ）及び３（Ｂ）を参照して、図１に例示されるカメラモジュール５０を搭載した携帯電話機その他の携帯通信端末３００の一例について説明する。
【００４５】
携帯通信端末３００は、スマートフォン型の携帯通信端末又は携帯端末であり、カメラモジュール５０を有する撮像装置１００と、アンテナ３３１を介して外部システム等との間の各種情報通信を実現するための無線通信部３３０とを備えている。なお、図示を省略するが、携帯通信端末３００は、電源スイッチ等を含む操作部、システムプログラム、各種処理プログラム及び端末ＩＤ等の必要な諸データを記憶している記憶部（ＲＯＭ）も備える。
【００４６】
撮像装置１００は、既に説明したカメラモジュール５０のほかに、光学系駆動部１０１、撮像インターフェース（Ｉ／Ｆ）１０２、画像処理回路(ＩＳＰ)１０３、一時記憶部（ＲＡＭ）１０４、データ保管部(ＥＥＰＲＯＭ)１０５、ＣＰＵ１０６、表示操作部インターフェース１０７、補助記憶部インターフェース１０８、表示操作部(ＬＣＤ)３１０、補助記憶部(ＳＤ  ｃａｒｄ等)３２０等を備える。これらのうち撮像インターフェース１０２、画像処理回路１０３、一時記憶部１０４、データ保管部１０５、ＣＰＵ１０６、表示操作部インターフェース１０７、及び補助記憶部インターフェース１０８は、カメラモジュール５０等を駆動するための制御部１１０としての役割を有する。また、制御部１１０には、通信部インターフェース１０９も含まれる。また、画像処理回路１０３、一時記憶部１０４、データ保管部１０５、及びＣＰＵ１０６は、カメラモジュール５０から出力される画像信号を処理する画像処理部１１１としての役割を有する。
【００４７】
光学系駆動部１０１は、ＣＰＵ１０６の制御により合焦、露出等を行う際に、撮像レンズ１０の駆動機構５５ａを動作させて撮像レンズ１０の状態を制御する。光学系駆動部１０１は、駆動機構５５ａを動作させて撮像レンズ１０中の特定又は全レンズを光軸ＡＸに沿って適宜移動させることにより、撮像レンズ１０に合焦動作を行わせる。
【００４８】
撮像インターフェース１０２は、撮像素子５１から出力された画像信号を制御部１１０に受け渡すための部分である。
【００４９】
画像処理回路１０３は、撮像素子５１から出力された画像信号に対して画像処理を行う。画像処理回路１０３では、画像信号が例えば動画像に対応するものであるとしてこれを構成するコマ画像に対して加工を施す。画像処理回路１０３は、色補正、階調補正、ズーミング等の通常の画像処理の他に、データ保管部１０５から読み出されたレンズ補正データに基づいて画像信号に対して歪み補正処理を実行する。
【００５０】
一時記憶部１０４は、制御部１１０によって実行される各種処理プログラムやその実行に必要なデータ、処理データ、撮像装置１００による撮像データ等を一時的に格納する作業領域として用いられる。
【００５１】
データ保管部１０５は、画像処理に用いられるレンズの補正データを保管している。具体的には、色補正、階調補正等のためのデータの他に、歪み補正のためのパラメーターを保管している。
【００５２】
ＣＰＵ１０６は、各部を統括的に制御するとともに各処理に応じたプログラムを実行する。また、ＣＰＵ１０６は、データ保管部１０５から読み出されたレンズ補正データに基づいて画像処理回路１０３による処理前の信号に対して、色補正、階調補正、歪み補正等の各種画像処理を行うことができ、或いは画像処理回路１０３による処理後の画像信号に対して、画像処理回路１０３と同様又は圧縮その他の別の画像処理を行うこともできる。
【００５３】
表示操作部インターフェース１０７は、画像処理回路１０３又はＣＰＵ１０６から出力された画像信号を表示操作部３１０に転送するとともに、表示操作部３１０からの操作信号をＣＰＵ１０６に転送する。
【００５４】
補助記憶部インターフェース１０８は、画像処理回路１０３等から出力された動画、静止画としての画像データを補助記憶部３２０に出力する。
【００５５】
表示操作部３１０は、通信に関連するデータ、撮像した映像等を表示するとともにユーザーの操作を受け付けるタッチパネルである。
【００５６】
補助記憶部３２０は、着脱可能であり、画像処理部１１１で画像処理された画像信号を記録及び格納する部分である。
【００５７】
ここで、上記撮像装置１００を含む携帯通信端末３００の撮影動作を説明する。携帯通信端末３００をカメラとして動作させるカメラモードに設定されると、被写体のモニタリング（スルー画像表示）と、画像撮影実行とが行われる。モニタリングにおいては、撮像レンズ１０を介して得られた被写体の像が、撮像素子５１の撮像面Ｉ（図１参照）に結像される。撮像素子５１は、不図示の撮像素子駆動部によって走査駆動され、一定周期毎に結像した光像に対応する光電変換出力をデジタル化したデジタル信号を１コマ分出力する。デジタル信号は、画像処理回路１０３等に入力され、画像処理された画像信号（ビデオ信号）が生成され、表示操作部３１０や補助記憶部３２０に出力される。この際、撮像素子５１から又は画像処理回路１０３を経た画像信号が一時記憶部１０４に暫定的に保管される。
【００５８】
表示操作部３１０は、モニタリングにおいてはファインダーとして機能し、撮像画像をリアルタイムに表示することとなる。この状態で、随時、ユーザーが表示操作部３１０を介して行う操作入力に基づいて、光学系駆動部１０１の駆動により撮像レンズ１０の合焦、露出等が設定される。
【００５９】
このようなモニタリング状態において、ユーザーが表示操作部３１０を適宜操作することにより、例えば静止画像データが撮影される。表示操作部３１０の操作内容に応じて、一時記憶部１０４に格納された１コマの画像データ（撮像データ）が読み出されて、圧縮される。その圧縮された画像データは、制御部１１０を介して、例えば一時記憶部１０４等に記録される。
【００６０】
以下、携帯通信端末３００の画像処理について説明する。図２において、撮像レンズ１０から出力された画像信号は、撮像インターフェース１０２を介して制御部１１０に入力される。ここで、表示すべき画像信号が静止画像に対応するものである場合、例えば画像信号が一時記憶部１０４に格納され、ＣＰＵ１０６がデータ保管部１０５からレンズ補正データを読み出して、画像処理回路１０３が補正データに基づき当該画像信号に対して各種画像処理を行って一時記憶部１０４に戻す。ここで、画像処理には、表示操作部３１０に表示させるための画像処理や補助記憶部３２０に記憶させるための画像処理が含まれる。一方、表示すべき画像信号が動画像に対応するものである場合、画像信号が画像処理回路１０３のみに入力され、画像処理回路１０３が補正データから読み出されたレンズ補正データに基づき当該画像信号に対して各種画像処理を行う。画像処理された画像信号は、表示操作部インターフェース１０７を介して、表示操作部３１０上に表示される。また、画像処理された画像信号は、補助記憶部インターフェース１０８を介して補助記憶部３２０に記録させることもできる。
【００６１】
なお、上述の撮像装置１００は、本発明に好適な撮像装置の一例であり、本発明は、これに限定されるものではない。
【００６２】
すなわち、カメラモジュール５０又は撮像レンズ１０を搭載した撮像装置は、スマートフォン型の携帯通信端末３００に内蔵されるものに限らず、携帯電話、ＰＨＳ（Personal Handyphone System）等に内蔵されるものであってもよく、ＰＤＡ（Personal Digital Assistant）、タブレットパソコン、モバイルパソコン、デジタルスチルカメラ、ビデオカメラ等に内蔵されるであってもよい。
【００６３】
以下、図１に戻って、本発明の一実施形態である撮像レンズ１０について詳細に説明する。図１に示す撮像レンズ１０は、物体側より順に、正の屈折力を有する第１レンズＬ１と、負の屈折力を有し光軸ＡＸ近傍で像側に凹面を向けた第２レンズＬ２と、第３レンズＬ３と、第４レンズＬ４と、光軸ＡＸ近傍で像側に凹面を向けたメニスカス形状の第５レンズＬ５とからなる。ここで、第１レンズＬ１は、全レンズＬ１〜Ｌ５の中で最も屈折力の強いレンズである。また、第３レンズＬ３の像側面Ｓ３２の周辺部は負の屈折力を有することが望ましい。また、第４レンズＬ４は、負の屈折力を有することが望ましい。また、第４レンズＬ４の物体側面Ｓ４１及び像側面Ｓ４２は、非球面形状を有し、かつ光軸ＡＸとの交点以外の位置Ｐ１，Ｐ２に極値を有する。また、第５レンズＬ５の像側面Ｓ５２は、非球面形状を有し、かつ光軸ＡＸとの交点以外の位置Ｐ３に極値を有する。第１〜第５レンズＬ１〜Ｌ５は、プラスチック材料で形成されている。特に、第２〜第４レンズＬ２〜Ｌ４は、同じ材料で構成されていることが望ましい。開口絞りＳは、図１において第１レンズＬ１の物体側面Ｓ１１側に配置されているが、第３レンズＬ３よりも物体側に配置されていればよく、例えば第１レンズＬ１の像側面Ｓ１２と第２レンズＬ２の物体側面Ｓ２１との間に配置されてもよい。
【００６４】
撮像レンズ１０は、既に説明した条件式（１）及び（２）を満足する。
−１０＜ν２−ν３＜２５    …    （１）
０．０８＜Ｄ６／ｆ＜０．３０    …    （２）
ただし、ν３は第３レンズＬ３のアッベ数であり、ν２は第２レンズＬ２のアッベ数であり、Ｄ６は第３レンズＬ３と第４レンズＬ４との光軸ＡＸ上の空気間隔であり、ｆは撮像レンズ１０全系の焦点距離である。
【００６５】
上記撮像レンズ１０において、撮像レンズ１０の全レンズＬ１〜Ｌ５の中で第１レンズＬ１を最も屈折力の強いレンズとすることで、撮像レンズ１０全系の合成主点位置をより物体側へ配置することができる。これにより、撮像レンズ１０全長を短縮することができる。また、第２レンズＬ２の像側面Ｓ２２を凹面形状とすることで、比較的強い発散面を光線通過高さの高い、より物体側のレンズに配置することができるため、像面歪曲や色収差の補正に有利となる。
近年では撮像装置１００全体の小型化を目的とし、同じ画素数の撮像素子５１であっても、画素ピッチが小さく、結果として撮像面サイズの小さいものが開発されている。このような撮像面サイズの小さい撮像素子５１向けの撮像レンズ１０は、撮像レンズ１０全系の焦点距離を比較的短くする必要がある。そのため、各レンズＬ１〜Ｌ５の曲率半径や外径がかなり小さくなってしまう。したがって、手間のかかる研磨加工により製造するガラスレンズと比較すれば、全てのレンズＬ１〜Ｌ５を例えば射出成形によって製造されるプラスチックレンズで構成することにより、曲率半径や外径の小さなレンズあっても安価に大量生産することができる。また、プラスチックレンズは、プレス温度を低くすることができることから、成形金型の損耗を抑えることができる。その結果、成形金型の交換回数やメンテナス回数を減少させ、コスト低減を図ることができる。さらに、プラスチック材料は軽量であるため、フォーカシングのためにレンズ系全体を動かす際のアクチュエーターへの負荷を軽減させることができる。
また、開口絞りＳから離れるにしたがって、各増高の光線がレンズ面の異なる位置を通過することになるが、開口絞りＳから比較的離れた位置にある第４レンズＬ４の両面を非球面形状とすことで、各像高の収差補正を個別に行いやすくなり、画面全体にわたって良好な画像を得ることができる。さらに、第４レンズＬ４を両面に極値を有するような非球面形状とすることで、上述の収差補正効果が高まるとともに、像側光束のテレセントリック特性を良好にすることができる。ここで、極値とは、有効半径内でのレンズ断面形状の曲線において、非球面頂点の接平面又は接線が光軸ＡＸと垂直な平面又は線分となるような非球面上の点のことである。
また、最も像側に配置された第５レンズＬ５の像側面Ｓ５２を凹面形状とすることで、バックフォーカスを確保しやすくなる。また、第５レンズＬ５の像側面Ｓ５２を非球面とすることで、画面周辺部での諸収差を良好に補正することができる。さらに、第５レンズＬ５の像側面Ｓ５２の光軸ＡＸとの交点以外の位置Ｐ３に極値を持つ非球面形状とすることで、像側光束のテレセントリック特性を良好にすることができる。
【００６６】
上記撮像レンズ１０において、条件式（１）は、撮像レンズ１０全系の色収差を良好に補正するための条件式である。第２レンズＬ２及び第３レンズＬ３の材料を条件式（１）を満足するように設定することによって、撮像レンズ１０の小型化に伴って不十分となりがちな色収差補正を良好に行うことができる。
値ν２−ν３については、より望ましくは下式の範囲とする。
−８＜ν２−ν３＜２４    …    （１）'
【００６７】
条件式（２）は、良好な収差補正と撮像レンズ１０全長の短縮化とを両立するための条件式である。条件式（２）の下限を上回ることで、第３レンズＬ３と第４レンズＬ４とを適度に離間させることができる。これにより、第４レンズＬ４を通過する光線を像高毎に分離させやすくなるため、上述の通り、第４レンズＬ４での像高毎の収差補正がしやすくなり、第４レンズＬ４の両面が非球面形状であり、かつ両面に極値を持つ形状であることの効果を増大させることができる。一方、条件式（２）の上限を下回ることで、第３レンズＬ３と第４レンズＬ４との間隔が空きすぎることがなくなり、結果として撮像レンズ１０全長を短縮することができる。なお、レンズ間隔が空きすぎていると、レンズを構成するうえで光学面以外のフランジ部の形状が複雑になったり、レンズ間に追加で遮光部材を挟み込む必要が出てきてしまったりする可能性がある。そうなると、部材の追加によるコストアップや、誤差要因の増加による撮像レンズの量産性能の劣化等を招くおそれがあり好ましくない。
値Ｄ６／ｆについては、より望ましくは下式の範囲とする。
０．１０＜Ｄ６／ｆ＜０．２０    …    （２）'
【００６８】
実施形態の撮像レンズ１０は、上記条件式（１）及び（２）に加えて、既に説明した条件式（３）
２０＜ν３＜４８    …    （３）
を満足する。
実施形態の撮像レンズ１０は、より好ましくは、下記の条件式（３）'を満たす。
２１＜ν３＜４６    …    （３）'
【００６９】
実施形態の撮像レンズ１０は、上記条件式（１）及び（２）等に加えて、既に説明した条件式（４）
２０＜ν１−ν２＜７０    …    （４）
を満足する。ただし、ν１は第１レンズＬ１のアッベ数である。
実施形態の撮像レンズ１０は、より好ましくは、下記の条件式（４）'を満たす。
２５＜ν１−ν２＜４５    …    （４）'
【００７０】
実施形態の撮像レンズ１０は、上記条件式（１）及び（２）等に加えて、既に説明した条件式（５）
１．００＜ｄ９／ｄ７＜４．００    …    （５）
を満足する。ただし、ｄ９は第５レンズＬ５の光軸ＡＸ上の厚みであり、ｄ７は第４レンズＬ４の光軸ＡＸ上の厚みである。
実施形態の撮像レンズ１０は、より好ましくは、下記の条件式（５）'を満たす。
１．２０＜ｄ９／ｄ７＜３．５０    …    （５）'
【００７１】
実施形態の撮像レンズ１０は、上記条件式（１）及び（２）等に加えて、既に説明した条件式（６）
０．８０＜ｆ１２／ｆ＜１．５０    …    （６）
を満足する。ただし、ｆ１２は第１レンズＬ１と第２レンズＬ２との合成焦点距離である。
実施形態の撮像レンズ１０は、より好ましくは、下記の条件式（６）'を満たす。
０．９０＜ｆ１２／ｆ＜１．４０    …    （６）'
【００７２】
なお、実施形態の撮像レンズ１０では、実質的にパワーを持たないその他の光学素子をさらに有してもよい。
【００７３】
〔実施例〕
以下、本発明の撮像レンズの実施例を示す。各実施例に使用する記号は下記の通りである。
ｆ      ：撮像レンズ全系の焦点距離
ｆＢ    ：バックフォーカス
Ｆ      ：Ｆナンバー
２Ｙ    ：撮像素子の撮像面対角線長
ＥＮＴＰ：入射瞳位置（第１面から入射瞳位置までの距離）
ＥＸＴＰ：射出瞳位置（撮像面から射出瞳位置までの距離）
Ｈ１    ：前側主点位置（第１面から前側主点位置までの距離）
Ｈ２    ：後側主点位置（最終面から後側主点位置までの距離）
Ｒ      ：曲率半径
Ｄ      ：軸上面間隔
Ｎｄ    ：レンズ材料のｄ線に対する屈折率
νｄ    ：レンズ材料のアッベ数
各実施例において、各面番号の後に「＊」が記載されている面が非球面形状を有する面である。非球面の形状は、面の頂点を原点とし、光軸ＡＸ方向にＸ軸をとり、光軸ＡＸと垂直方向の高さをｈとして以下の「数１」で表す。
【数１】
2015087495.tif 000003
ただし、
Ａｉ：ｉ次の非球面係数
Ｒ  ：曲率半径
Ｋ  ：円錐定数
【００７４】
（実施例１）
実施例１の撮像レンズ１０の全体諸元を以下に示す。
f=2.94mm
fB=0.3mm
F=2.07
2Y=4.59mm
ENTP=0mm
EXTP=-1.88mm
H1=-1.03mm
H2=-2.64mm
【００７５】
実施例１のレンズ面のデータを以下の表１に示す。なお、以下の表１等において、無限大を「infinity」と表し、開口絞りを「STOP」と表している。
〔表１〕
面番号      R(mm)      D(mm)      Nd       νd      有効半径(mm)
1(STOP)  infinity    -0.188                         0.71
2*        1.147       0.415    1.54470    56.2      0.73
3*        4.196       0.050                         0.73
4*        2.881       0.150    1.63470    23.9      0.72
5*        1.740       0.334                         0.71
6*      -11.274       0.286    1.55730    45.9      0.77
7*       -5.470       0.398                         0.86
8*        3.427       0.200    1.63470    23.9      1.21
9*        2.157       0.196                         1.44
10*        0.936       0.511    1.54470    56.2      1.72
11*        0.926       0.500                         1.87
12        infinity     0.110    1.51630    64.1      2.25
13        infinity                                   2.28
【００７６】
実施例１のレンズ面の非球面係数を以下の表２に示す。なお、これ以降（表のレンズデータを含む）において、１０のべき乗数（たとえば２．５×１０−０２）をＥ（たとえば２．５Ｅ−０２）を用いて表すものとする。
〔表２〕
第2面
K=-0.18886E+00, A4=0.21992E-01, A6=0.15590E+00, A8=-0.53277E+00, 
A10=0.96628E+00, A12=0.23483E+00, A14=-0.15008E+01
第3面
K=0.18230E+02, A4=-0.31503E+00, A6=0.80038E+00, A8=-0.10308E+01, 
A10=-0.29073E+00, A12=0.58693E-01, A14=0.36295E+00
第4面
K=-0.62481E+02, A4=-0.22653E+00, A6=0.65907E+00, A8=-0.50609E-01, 
A10=-0.27892E+01, A12=0.10646E+01, A14=0.28114E+01
第5面
K=-0.24831E+02, A4=0.25985E+00, A6=-0.18074E+00, A8=0.56316E+00, 
A10=0.88459E+00, A12=-0.67056E+01, A14=0.92846E+01
第6面
K=0.54364E+02, A4=-0.21466E+00, A6=-0.16949E+00, A8=0.53585E+00, 
A10=-0.45756E-01, A12=-0.23858E+00, A14=0.56777E+00
第7面
K=0.13616E+02, A4=-0.18059E+00, A6=-0.33026E+00, A8=0.79710E+00, 
A10=-0.57325E+00, A12=0.23647E+00, A14=0.27809E+00
第8面
K=0.12552E+01, A4=0.23045E+00, A6=-0.70338E+00, A8=0.82321E+00, 
A10=-0.81524E+00, A12=0.44622E+00, A14=-0.97566E-01
第9面
K=-0.67321E+02, A4=0.21698E+00, A6=-0.33692E+00, A8=0.13822E+00, 
A10=-0.54592E-01, A12=0.31638E-01, A14=-0.77032E-02
第10面
K=-0.72983E+01, A4=-0.31242E+00, A6=0.79118E-02, A8=0.11991E+00, 
A10=-0.62786E-01, A12=0.13279E-01, A14=-0.10395E-02
第11面
K=-0.37324E+01, A4=-0.30614E+00, A6=0.23404E+00, A8=-0.16312E+00, 
A10=0.72204E-01, A12=-0.16992E-01, A14=0.15958E-02
【００７７】
実施例１の単レンズデータを以下の表３に示す。
〔表３〕
レンズ            始面              焦点距離(mm)
1                  2                   2.765
2                  4                  -7.292
3                  6                  18.739
4                  8                  -9.766
5                 10                   9.341
【００７８】
図４は、実施例１の撮像レンズ１１等の断面図である。撮像レンズ１１は、物体側より順に、光軸ＡＸ近傍で正の屈折力を有し物体側に凸面を向けたメニスカス形状を有する第１レンズＬ１と、光軸ＡＸ近傍で負の屈折力を有し像側に凹面を向けたメニスカス形状を有する第２レンズＬ２と、光軸ＡＸ近傍で正の屈折力を有し像側に凸面を向けたメニスカス形状を有する第３レンズＬ３と、光軸ＡＸ近傍で負の屈折力を有し物体側に凸面を向けたメニスカス形状を有する第４レンズＬ４と、光軸ＡＸ近傍で正の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。平行平板Ｆは、光学的ローパスフィルター、ＩＲカットフィルター、固体撮像素子のシールガラス等を想定したものである（以下の実施例でも同様）。
【００７９】
図５（Ａ）〜５（Ｃ）は、実施例１の撮像レンズ１１の球面収差、非点収差及び歪曲収差を示し、図５（Ｄ）及び５（Ｅ）は、撮像レンズ１１のメリディオナルコマ収差を示している。
（実施例２）
実施例２の撮像レンズ１０の全体諸元を以下に示す。
f=3.97mm
fB=0.38mm
F=1.85
2Y=5.868mm
ENTP=0mm
EXTP=-2.11mm
H1=-2.35mm
H2=-3.59mm
【００８０】
実施例２のレンズ面のデータを以下の表４に示す。
〔表４〕                    
面番号      R(mm)      D(mm)      Nd       νd     有効半径(mm)
1(STOP)  infinity    -0.494                         1.07
2*        1.405       0.704    1.54470    56.2      1.07
3*      -25.717       0.050                         0.99
4*      -21.185       0.200    1.63470    23.9      0.96
5*        3.180       0.404                         0.83
6*       -7.636       0.370    1.63470    23.9      0.88
7*       -6.373       0.602                         1.07
8*        5.087       0.357    1.63470    23.9      1.68
9*        2.886       0.174                         1.98
10*        1.526       0.680    1.54470    56.2      2.40
11*        1.405       0.400                         2.55
12        infinity     0.210    1.51630    64.1      3.20
13        infinity                                   3.20
【００８１】
実施例２のレンズ面の非球面係数を以下の表５に示す。
〔表５〕
第2面
K=-0.54967E+00, A3=0.00000E+00, A4=0.32132E-01, A5=0.00000E+00, 
A6=0.68021E-02, A7=0.00000E+00, A8=0.20815E-01, A10=-0.25658E-01, 
A12=0.41863E-01, A14=-0.29440E-01, A16=0.88011E-02
第3面
K=-0.42663E+02, A4=0.37945E-01, A6=0.42462E-02, A8=0.23212E-01, 
A10=-0.48962E-01, A12=0.63211E-02, A14=0.31631E-01, 
A16=-0.13658E-01
第4面
K=-0.70000E+02, A4=0.13863E-01, A6=0.72118E-01, A8=-0.46374E-01, 
A10=-0.24453E-01, A12=0.25988E-01, A14=0.27850E-01, 
A16=-0.17176E-01
第5面
K=-0.18031E+02, A4=0.61658E-01, A6=0.47398E-01, A8=-0.18893E-01, 
A10=-0.21443E-01, A12=0.63354E-01, A14=0.90410E-02, 
A16=0.19532E-01
第6面
K=0.69931E+02, A3=0.13759E-01, A4=-0.12903E+00, A5=-0.95165E-01, 
A6=0.81888E-01, A7=0.13343E-01, A8=-0.15101E-01, A10=-0.11281E-01, 
A12=-0.68531E-02, A14=0.13255E+00, A16=-0.47873E-01
第7面
K=0.32131E+02, A3=0.15074E-01, A4=-0.13592E+00, A5=0.75106E-02, 
A6=0.11137E-01, A7=0.16212E-02, A8=0.22678E-01, A10=0.74902E-02, 
A12=0.70654E-02, A14=0.19260E-01, A16=-0.22253E-02
第8面
K=0.62383E+01, A4=0.38970E-01, A6=-0.18483E+00, A8=0.18426E+00, 
A10=-0.12872E+00, A12=0.43544E-01, A14=-0.53151E-02, 
A16=0.00000E+00
第9面
K=-0.55403E+02, A4=-0.46314E-02, A6=0.76661E-02, A8=-0.25650E-01, 
A10=0.10772E-01, A12=-0.17098E-02, A14=0.81655E-04, 
A16=0.00000E+00
第10面
K=-0.13180E+02, A4=-0.23213E+00, A6=0.11168E+00, A8=-0.24967E-01, 
A10=0.28209E-02, A12=-0.14762E-03, A14=0.28460E-05, 
A16=0.00000E+00
第11面
K=-0.63965E+01, A3=0.00000E+00, A4=-0.12668E+00, A5=0.00000E+00, 
A6=0.58558E-01, A7=0.00000E+00, A8=-0.23942E-01, A10=0.59393E-02, 
A12=-0.74312E-03, A14=0.36303E-04, A16=0.00000E+00
【００８２】
実施例２の単レンズデータを以下の表６に示す。
〔表６〕
レンズ            始面              焦点距離(mm)
1                  2                   2.469
2                  4                  -4.342
3                  6                  54.526
4                  8                 -11.215
5                 10                  33.094
【００８３】
図６は、実施例２の撮像レンズ１２等の断面図である。撮像レンズ１２は、物体側より順に、光軸ＡＸ近傍で正の屈折力を有し凸平に近い両凸の第１レンズＬ１と、光軸ＡＸ近傍で負の屈折力を有し平凹に近い両凹の第２レンズＬ２と、光軸ＡＸ近傍で弱い正の屈折力を有し像側に凸面を向けたメニスカス形状を有する第３レンズＬ３と、光軸ＡＸ近傍で負の屈折力を有し物体側に凸面を向けたメニスカス形状を有する第４レンズＬ４と、光軸ＡＸ近傍で弱い正の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。
【００８４】
図７（Ａ）〜７（Ｃ）は、実施例２の撮像レンズ１２の球面収差、非点収差及び歪曲収差を示し、図７（Ｄ）及び７（Ｅ）は、撮像レンズ１２のメリディオナルコマ収差を示している。
【００８５】
（実施例３）
実施例３の撮像レンズ１０の全体諸元を以下に示す。
f=3.69mm
fB=0.32mm
F=2.06
2Y=5.868mm
ENTP=0mm
EXTP=-2.09mm
H1=-1.98mm
H2=-3.37mm
【００８６】
実施例３のレンズ面のデータを以下の表７に示す。
〔表７〕
面番号      R(mm)      D(mm)      Nd       νd     有効半径(mm)
1(STOP)  infinity    -0.267                         0.90
2*        1.340       0.537    1.54470    56.2      0.90
3*       77.828       0.059                         0.83
4*       33.816       0.200    1.63470    23.9      0.85
5*        2.822       0.465                         0.83
6*       -7.542       0.278    1.63470    23.9      0.89
7*       -5.695       0.501                         1.10
8*        5.539       0.250    1.63470    23.9      1.71
9*        2.610       0.196                         1.95
10*        1.430       0.831    1.54470    56.2      2.39
11*        1.374       0.400                         2.52
12        infinity     0.210    1.51630    64.1      3.20
13        infinity                                   3.20
【００８７】
実施例３のレンズ面の非球面係数を以下の表８に示す。
〔表８〕
第2面
K=-0.49916E+00, A3=0.00000E+00, A4=0.34553E-01, A5=0.00000E+00, 
A6=0.27214E-03, A7=0.00000E+00, A8=0.25294E-01, A10=-0.18056E-01, 
A12=0.42627E-01, A14=-0.19169E-01, A16=-0.36318E-01
第3面
K=-0.70000E+02, A4=0.24828E-01, A6=0.14537E-01, A8=-0.13509E-02, 
A10=-0.66833E-01, A12=-0.46776E-02, A14=0.22330E-01, 
A16=-0.10148E-01
第4面
K=0.59638E+02, A4=0.31366E-01, A6=0.57618E-01, A8=-0.46921E-01, 
A10=-0.58019E-01, A12=-0.13164E-01, A14=0.89841E-01, 
A16=-0.12762E-01
第5面
K=-0.12306E+02, A4=0.10943E+00, A6=0.60939E-01, A8=-0.54915E-01, 
A10=0.33937E-01, A12=0.50953E-01, A14=0.69890E-02, A16=0.14513E-01
第6面
K=0.69997E+02, A3=0.63673E-01, A4=-0.19196E+00, A5=-0.43515E-01, 
A6=0.95959E-01, A7=0.22826E-02, A8=-0.32148E-01, A10=0.19212E-01, 
A12=0.58992E-01, A14=0.12135E+00, A16=-0.14805E+00
第7面
K=0.24215E+02, A3=0.55756E-01, A4=-0.13791E+00, A5=-0.45226E-01, 
A6=0.23405E-01, A7=0.25461E-01, A8=0.25502E-01, A10=-0.45792E-02, 
A12=0.31141E-01, A14=0.45930E-01, A16=-0.39192E-01
第8面
K=0.86346E+01, A4=0.12677E+00, A6=-0.26502E+00, A8=0.20266E+00, 
A10=-0.11308E+00, A12=0.34155E-01, A14=-0.39336E-02, 
A16=0.00000E+00
第9面
K=-0.58524E+02, A4=0.83067E-01, A6=-0.94968E-01, A8=0.31169E-01, 
A10=-0.68760E-02, A12=0.13650E-02, A14=-0.15310E-03, 
A16=0.00000E+00
第10面
K=-0.11191E+02, A4=-0.21260E+00, A6=0.91023E-01, A8=-0.18086E-01, 
A10=0.18547E-02, A12=-0.89914E-04, A14=0.16238E-05, 
A16=0.00000E+00
第11面
K=-0.56499E+01, A3=0.00000E+00, A4=-0.11276E+00, A5=0.00000E+00, 
A6=0.45662E-01, A7=0.00000E+00, A8=-0.15241E-01, A10=0.28393E-02, 
A12=-0.26972E-03, A14=0.10852E-04, A16=0.00000E+00
【００８８】
実施例３の単レンズデータを以下の表９に示す。
〔表９〕
レンズ            始面              焦点距離(mm)
1                  2                   2.498
2                  4                  -4.863
3                  6                  34.603
4                  8                  -8.044
5                 10                  15.228
【００８９】
図８は、実施例３の撮像レンズ１３等の断面図である。撮像レンズ１３は、物体側より順に、光軸ＡＸ近傍で正の屈折力を有し凸平に近い第１レンズＬ１と、光軸ＡＸ近傍で負の屈折力を有し像側に凹面を向けた平凹に近い第２レンズＬ２と、光軸ＡＸ近傍で弱い正の屈折力を有し像側に凸面を向けたメニスカス形状を有する第３レンズＬ３と、光軸ＡＸ近傍で負の屈折力を有し物体側に凸面を向けたメニスカス形状を有する第４レンズＬ４と、光軸ＡＸ近傍で正の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。
【００９０】
図９（Ａ）〜９（Ｃ）は、実施例３の撮像レンズ１３の球面収差、非点収差及び歪曲収差を示し、図９（Ｄ）及び９（Ｅ）は、撮像レンズ１３のメリディオナルコマ収差を示している。
【００９１】
（実施例４）
実施例４の撮像レンズ１０の全体諸元を以下に示す。
f=2.96mm
fB=0.37mm
F=2.06
2Y=4.59mm
ENTP=0mm
EXTP=-1.74mm
H1=-1.2mm
H2=-2.6mm
実施例４のレンズ面のデータを以下の表１０に示す。
〔表１０〕                    
面番号      R(mm)      D(mm)      Nd       νd     有効半径(mm)
1(STOP)  infinity    -0.186                         0.70
2*        1.105       0.431    1.54470    56.2      0.72
3*       10.579       0.077                         0.66
4*       24.324       0.150    1.63470    23.9      0.67
5*        2.696       0.309                         0.67
6*       -6.208       0.255    1.63470    23.9      0.76
7*       -4.493       0.355                         0.84
8*       26.757       0.250    1.63470    23.9      1.18
9*        3.742       0.134                         1.44
10*        1.039       0.608    1.54470    56.2      1.73
11*        1.056       0.400                         1.91
12        infinity     0.110    1.51630    64.1      2.50
13        infinity                                   2.50
【００９２】
実施例４のレンズ面の非球面係数を以下の表１１に示す。
〔表１１〕                    
第2面
K=-0.54471E+00, A3=0.00000E+00, A4=0.60247E-01, A5=0.00000E+00, 
A6=0.22120E-01, A7=0.00000E+00, A8=0.83827E-01, A10=-0.22576E+00, 
A12=0.58938E+00, A14=-0.21607E+00, A16=-0.12749E+01
第3面
K=-0.70000E+02, A4=0.11616E-01, A6=0.40248E-01, A8=-0.20676E-01, 
A10=-0.63231E+00, A12=-0.15506E+00, A14=0.74217E+00, 
A16=-0.34832E+00
第4面
K=-0.70000E+02, A4=0.53890E-01, A6=0.15953E+00, A8=-0.28785E+00, 
A10=-0.52293E+00, A12=-0.22598E+00, A14=0.18284E+01, 
A16=-0.43804E+00
第5面
K=-0.14656E+02, A4=0.20699E+00, A6=0.20075E+00, A8=-0.20953E+00, 
A10=0.24341E+00, A12=0.68120E+00, A14=0.14971E+00, 
A16=0.49813E+00
第6面
K=0.48960E+02, A3=0.11571E+00, A4=-0.37312E+00, A5=-0.10830E+00, 
A6=0.34731E+00, A7=0.68404E-01, A8=-0.11096E+00, A10=0.16977E+00, 
A12=0.89002E+00, A14=0.28829E+01, A16=-0.50554E+01
第7面
K=0.25962E+02, A3=0.11537E+00, A4=-0.29913E+00, A5=-0.82328E-01, 
A6=0.10689E+00, A7=0.10099E+00, A8=0.93684E-01, A10=-0.76922E-01, 
A12=0.46497E+00, A14=0.11494E+01, A16=-0.11178E+01
第8面
K=-0.34011E+01, A4=0.49725E+00, A6=-0.15521E+01, A8=0.24899E+01, 
A10=-0.26519E+01, A12=0.14419E+01, A14=-0.29490E+00, 
A16=0.00000E+00
第9面
K=-0.17154E+03, A4=0.53346E-01, A6=0.19409E-01, A8=-0.19278E+00, 
A10=0.12612E+00, A12=-0.20915E-01, A14=-0.21322E-02, 
A16=0.00000E+00
第10面
K=-0.84565E+01, A4=-0.48109E+00, A6=0.35852E+00, A8=-0.11975E+00, 
A10=0.19937E-01, A12=-0.15549E-02, A14=0.45228E-04, 
A16=0.00000E+00
第11面
K=-0.44870E+01, A3=0.00000E+00, A4=-0.29949E+00, A5=0.00000E+00, 
A6=0.23063E+00, A7=0.00000E+00, A8=-0.13302E+00, A10=0.43245E-01, 
A12=-0.68538E-02, A14=0.41339E-03, A16=0.00000E+00
【００９３】
実施例４の単レンズデータを以下の表１２に示す。
〔表１２〕
レンズ            始面              焦点距離(mm)
1                  2                   2.230
2                  4                  -4.791
3                  6                  24.239
4                  8                  -6.883
5                 10                   8.688
【００９４】
図１０は、実施例４の撮像レンズ１４等の断面図である。撮像レンズ１４は、物体側より順に、光軸ＡＸ近傍で正の屈折力を有し物体側に凸面を向けたメニスカス形状を有する第１レンズＬ１と、光軸ＡＸ近傍で負の屈折力を有し像側に凹面を向けた平凹に近い第２レンズＬ２と、光軸ＡＸ近傍で弱い正の屈折力を有し像側に凸面を向けたメニスカス形状を有する第３レンズＬ３と、光軸ＡＸ近傍で負の屈折力を有し像側に凹面を向けた平凹に近い第４レンズＬ４と、光軸ＡＸ近傍で正の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。
【００９５】
図１１（Ａ）〜１１（Ｃ）は、実施例４の撮像レンズ１４の球面収差、非点収差及び歪曲収差を示し、図１１（Ｄ）及び１１（Ｅ）は、撮像レンズ１４のメリディオナルコマ収差を示している。
【００９６】
（実施例５）
実施例５の撮像レンズ１０の全体諸元を以下に示す。
f=4.56mm
fB=0.51mm
F=2.06
2Y=7.36mm
ENTP=0mm
EXTP=-2.62mm
H1=-2.07mm
H2=-4.05mm
【００９７】
実施例５のレンズ面の非球面係数を以下の表１３に示す。
〔表１３〕
面番号      R(mm)      D(mm)      Nd       νd     有効半径(mm)
1(STOP)  infinity    -0.358                         1.10
2*        1.667       0.625    1.54470    56.2      1.11
3*      -46.699       0.071                         1.04
4*      -43.194       0.200    1.58300    30.0      1.04
5*        3.355       0.541                         1.02
6*       -8.968       0.355    1.63470    23.9      1.08
7*       -7.475       0.725                         1.26
8*        6.761       0.392    1.63470    23.9      2.09
9*        4.153       0.238                         2.45
10*        2.125       1.112    1.54470    56.2      3.06
11*        2.005       0.400                         3.25
12        infinity     0.210    1.51630    64.1      3.56
13        infinity                                   3.61
【００９８】
実施例５のレンズ面の非球面係数を以下の表１４に示す。
〔表１４〕
第2面
K=-0.43227E+00, A3=0.00000E+00, A4=0.17321E-01, A5=0.00000E+00, 
A6=0.55959E-02, A7=0.00000E+00, A8=0.37204E-02, A10=-0.23013E-02, 
A12=0.32695E-02, A14=-0.28133E-03, A16=-0.61564E-03
第3面
K=-0.70000E+02, A4=0.21463E-01, A6=0.16726E-03, A8=0.43356E-02, 
A10=-0.49802E-02, A12=0.88018E-04, A14=0.85325E-03, 
A16=-0.42345E-03
第4面
K=-0.39765E+01, A4=0.16486E-01, A6=0.20553E-01, A8=-0.75368E-02, 
A10=-0.20376E-02, A12=0.54851E-03, A14=0.25392E-02, 
A16=-0.10407E-02
第5面
K=-0.11524E+02, A4=0.46093E-01, A6=0.19349E-01, A8=-0.49254E-02, 
A10=0.50906E-02, A12=0.63950E-02, A14=0.13167E-02, 
A16=0.15444E-02
第6面
K=0.66373E+02, A3=0.12450E-01, A4=-0.76102E-01, A5=-0.44459E-01, 
A6=0.22423E-01, A7=0.86415E-02, A8=0.14171E-03, A10=-0.23725E-03, 
A12=0.50755E-02, A14=0.91863E-02, A16=-0.16283E-02
第7面
K=0.32054E+02, A3=0.27208E-01, A4=-0.90317E-01, A5=-0.11014E-02, 
A6=0.64672E-02, A7=0.20630E-02, A8=0.50896E-02, A10=0.16952E-02, 
A12=0.37691E-02, A14=0.23760E-02, A16=-0.69366E-03
第8面
K=0.74420E+01, A4=0.54367E-01, A6=-0.67661E-01, A8=0.33175E-01, 
A10=-0.13079E-01, A12=0.26903E-02, A14=-0.20309E-03, 
A16=0.00000E+00
第9面
K=-0.56977E+02, A4=0.32256E-01, A6=-0.10178E-01, A8=-0.43460E-02, 
A10=0.18958E-02, A12=-0.25624E-03, A14=0.11414E-04, 
A16=0.00000E+00
第10面
K=-0.97590E+01, A4=-0.93138E-01, A6=0.27184E-01, A8=-0.36176E-02, 
A10=0.24141E-03, A12=-0.74526E-05, A14=0.84679E-07, 
A16=0.00000E+00
第11面
K=-0.33429E+01, A3=0.00000E+00, A4=-0.71100E-01, A5=0.00000E+00, 
A6=0.21546E-01, A7=0.00000E+00, A8=-0.53543E-02, A10=0.77148E-03, 
A12=-0.55203E-04, A14=0.15355E-05, A16=0.00000E+00
【００９９】
実施例５の単レンズデータを以下の表１５に示す。
〔表１５〕
レンズ            始面              焦点距離(mm)
1                  2                   2.969
2                  4                  -5.331
3                  6                  64.772
4                  8                 -18.013
5                 10                  28.768
【０１００】
図１２は、実施例５の撮像レンズ１５等の断面図である。撮像レンズ１５は、物体側より順に、光軸ＡＸ近傍で正の屈折力を有し凸平に近い両凸の第１レンズＬ１と、光軸ＡＸ近傍で負の屈折力を有し平凹に近い両凹の第２レンズＬ２と、光軸ＡＸ近傍で弱い正の屈折力を有し像側に凸面を向けたメニスカス形状を有する第３レンズＬ３と、光軸ＡＸ近傍で負の屈折力を有し物体側に凸面を向けたメニスカス形状を有する第４レンズＬ４と、光軸ＡＸ近傍で弱い正の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。
【０１０１】
図１３（Ａ）〜１３（Ｃ）は、実施例５の撮像レンズ１５の球面収差、非点収差及び歪曲収差を示し、図１３（Ｄ）及び１３（Ｅ）は、撮像レンズ１５のメリディオナルコマ収差を示している。
【０１０２】
（実施例６）
実施例６の撮像レンズ１０の全体諸元を以下に示す。
f=4.74mm
fB=0.5mm
F=2.06
2Y=7.36mm
ENTP=0mm
EXTP=-2.5mm
H1=-2.74mm
H2=-4.24mm
【０１０３】
実施例６のレンズ面の非球面係数を以下の表１６に示す。
〔表１６〕
面番号      R(mm)      D(mm)      Nd       νd     有効半径(mm)
1(STOP)  infinity    -0.379                         1.14
2*        1.708       0.693    1.54470    56.2      1.15
3*      -51.015       0.068                         1.06
4*      -40.222       0.250    1.63470    23.9      1.08
5*        3.847       0.534                         1.05
6*       -9.314       0.386    1.63470    23.9      1.11
7*       -7.510       0.864                         1.29
8*        5.851       0.551    1.61470    25.6      2.17
9*        3.640       0.233                         2.61
10*        1.677       0.751    1.54470    56.2      3.05
11*        1.430       0.400                         3.18
12        infinity     0.210    1.51630    64.1      3.54
13        infinity                                   3.59
【０１０４】
実施例６のレンズ面の非球面係数を以下の表１７に示す。
〔表１７〕
第2面
K=-0.47735E+00, A3=0.00000E+00, A4=0.15201E-01, A5=0.00000E+00, 
A6=0.57207E-02, A7=0.00000E+00, A8=0.22150E-02, A10=-0.27225E-02, 
A12=0.32669E-02, A14=-0.21351E-03, A16=-0.69120E-03
第3面
K=-0.49680E+02, A4=0.20198E-01, A6=0.10834E-02, A8=0.44618E-02, 
A10=-0.52365E-02, A12=0.19863E-03, A14=0.73867E-03, 
A16=-0.62810E-03
第4面
K=-0.70000E+02, A4=0.16603E-01, A6=0.19666E-01, A8=-0.71548E-02, 
A10=-0.82979E-03, A12=0.63213E-03, A14=0.16699E-02, 
A16=-0.94901E-03
第5面
K=-0.14455E+02, A4=0.39282E-01, A6=0.17463E-01, A8=-0.53423E-02, 
A10=0.35772E-02, A12=0.80360E-02, A14=-0.74715E-04, 
A16=0.10987E-02
第6面
K=0.67032E+02, A3=-0.44333E-02, A4=-0.57671E-01, A5=-0.45558E-01, 
A6=0.19845E-01, A7=0.90842E-02, A8=0.14931E-02, A10=-0.64281E-03, 
A12=0.45878E-02, A14=0.99072E-02, A16=-0.33229E-02
第7面
K=0.30776E+02, A3=0.18306E-01, A4=-0.91418E-01, A5=0.79107E-02, 
A6=0.10883E-01, A7=0.20418E-02, A8=0.32454E-02, A10=-0.15490E-03, 
A12=0.34715E-02, A14=0.28063E-02, A16=-0.10808E-02
第8面
K=0.43352E+01, A4=0.26549E-01, A6=-0.47421E-01, A8=0.21435E-01, 
A10=-0.78518E-02, A12=0.15310E-02, A14=-0.10931E-03, 
A16=0.00000E+00
第9面
K=-0.10465E+03, A4=0.41357E-01, A6=-0.21818E-01, A8=0.28861E-02, 
A10=-0.96106E-06, A12=-0.34420E-04, A14=0.21195E-05, 
A16=0.00000E+00
第10面
K=-0.13323E+02, A4=-0.98469E-01, A6=0.28510E-01, A8=-0.38998E-02, 
A10=0.26976E-03, A12=-0.85668E-05, A14=0.99410E-07, 
A16=0.00000E+00
第11面
K=-0.69720E+01, A3=0.00000E+00, A4=-0.52692E-01, A5=0.00000E+00, 
A6=0.12170E-01, A7=0.00000E+00, A8=-0.31122E-02, A10=0.51942E-03, 
A12=-0.42994E-04, A14=0.13658E-05, A16=0.00000E+00
【０１０５】
実施例６の単レンズデータを以下の表１８に示す。
〔表１８〕
レンズ            始面              焦点距離(mm)
1                  2                   3.048
2                  4                  -5.520
3                  6                  56.410
4                  8                 -17.310
5                 10                 246.055
【０１０６】
図１４は、実施例６の撮像レンズ１６等の断面図である。撮像レンズ１６は、物体側より順に、光軸ＡＸ近傍で正の屈折力を有し凸平に近い両凸の第１レンズＬ１と、光軸ＡＸ近傍で負の屈折力を有し平凹に近い両凹の第２レンズＬ２と、光軸ＡＸ近傍で弱い正の屈折力を有し像側に凸面を向けたメニスカス形状を有する第３レンズＬ３と、光軸ＡＸ近傍で負の屈折力を有し物体側に凸面を向けたメニスカス形状を有する第４レンズＬ４と、光軸ＡＸ近傍で弱い正の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。
【０１０７】
図１５（Ａ）〜１５（Ｃ）は、実施例６の撮像レンズ１６の球面収差、非点収差及び歪曲収差を示し、図１５（Ｄ）及び１５（Ｅ）は、撮像レンズ１６のメリディオナルコマ収差を示している。
【０１０８】
（実施例７）
実施例７の撮像レンズ１０の全体諸元を以下に示す。
f=4.13mm
fB=0.27mm
F=1.65
2Y=5.868mm
ENTP=0mm
EXTP=-2.21mm
H1=-2.73mm
H2=-3.86mm
【０１０９】
実施例７のレンズ面の非球面係数を以下の表１９に示す。
〔表１９〕
面番号      R(mm)      D(mm)      Nd       νd     有効半径(mm)
1(STOP)  infinity    -0.621                         1.25
2*        1.564       0.824    1.54470    56.2      1.25
3*      -21.780       0.050                         1.16
4*       41.804       0.200    1.65100    21.5      1.11
5*        2.905       0.507                         0.95
6*       -8.191       0.407    1.65100    21.5      1.01
7*       -6.868       0.565                         1.22
8*        3.614       0.476    1.65100    21.5      1.87
9*        2.902       0.249                         2.18
10*        1.911       0.689    1.54470    56.2      2.54
11*        1.503       0.400                         2.67
12        infinity     0.210    1.51630    64.1      3.20
13        infinity                                   3.20
【０１１０】
実施例７のレンズ面の非球面係数を以下の表２０に示す。
〔表２０〕
第2面
K=-0.58190E+00, A3=0.00000E+00, A4=0.24205E-01, A5=0.00000E+00, 
A6=-0.13475E-02, A7=0.00000E+00, A8=0.15927E-01, A10=-0.15108E-01, 
A12=0.15560E-01, A14=-0.85905E-02, A16=0.20609E-02
第3面
K=-0.70000E+02, A4=0.39769E-01, A6=-0.12207E-01, A8=0.20069E-01, 
A10=-0.21314E-01, A12=0.47085E-03, A14=0.92580E-02, 
A16=-0.31974E-02
第4面
K=-0.70000E+02, A4=-0.45079E-02, A6=0.56546E-01, A8=-0.32647E-01, 
A10=-0.92984E-02, A12=0.11221E-01, A14=0.65645E-02, 
A16=-0.42371E-02
第5面
K=-0.11462E+02, A4=0.34060E-01, A6=0.35439E-01, A8=0.10836E-01, 
A10=-0.36600E-01, A12=0.29102E-01, A14=0.25911E-02, 
A16=0.52059E-02
第6面
K=0.61960E+02, A3=0.26487E-01, A4=-0.10032E+00, A5=-0.89911E-01, 
A6=0.93768E-01, A7=0.29031E-01, A8=-0.32545E-01, A10=-0.37805E-01, 
A12=0.13054E-01, A14=0.65179E-01, A16=-0.33727E-01
第7面
K=0.29189E+02, A3=0.47175E-01, A4=-0.18970E+00, A5=0.88680E-01, 
A6=0.56436E-02, A7=-0.28442E-01, A8=0.61638E-02, A10=0.14607E-01, 
A12=0.46287E-03, A14=0.34405E-02, A16=-0.53858E-03
第8面
K=0.21526E+01, A4=-0.20056E-01, A6=-0.45042E-01, A8=0.23549E-01, 
A10=-0.15127E-01, A12=0.50209E-02, A14=-0.56069E-03, 
A16=0.00000E+00
第9面
K=-0.47815E+02, A4=0.35480E-01, A6=-0.24650E-01, A8=-0.32590E-02, 
A10=0.40247E-02, A12=-0.92072E-03, A14=0.67352E-04, 
A16=0.00000E+00
第10面
K=-0.16258E+02, A4=-0.17068E+00, A6=0.74677E-01, A8=-0.14738E-01, 
A10=0.14366E-02, A12=-0.63483E-04, A14=0.10136E-05, 
A16=0.00000E+00
第11面
K=-0.69273E+01, A3=0.00000E+00, A4=-0.90483E-01, A5=0.00000E+00, 
A6=0.32125E-01, A7=0.00000E+00, A8=-0.11507E-01, A10=0.26870E-02, 
A12=-0.31029E-03, A14=0.13654E-04, A16=0.00000E+00
【０１１１】
実施例７の単レンズデータを以下の表２１に示す。
〔表２１〕
レンズ            始面              焦点距離(mm)
1                  2                   2.713
2                  4                  -4.805
3                  6                  58.235
4                  8                 -30.716
5                 10                 -32.058
【０１１２】
図１６は、実施例７の撮像レンズ１７等の断面図である。撮像レンズ１７は、物体側より順に、光軸ＡＸ近傍で正の屈折力を有し凸平に近い両凸の第１レンズＬ１と、光軸ＡＸ近傍で負の屈折力を有し像側に凹面を向けた平凹に近い第２レンズＬ２と、光軸ＡＸ近傍で弱い正の屈折力を有し像側に凸面を向けたメニスカス形状を有する第３レンズＬ３と、光軸ＡＸ近傍で弱い負の屈折力を有し物体側に凸面を向けたメニスカス形状を有する第４レンズＬ４と、光軸ＡＸ近傍で弱い負の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。
【０１１３】
図１７（Ａ）〜１７（Ｃ）は、実施例７の撮像レンズ１７の球面収差、非点収差及び歪曲収差を示し、図１７（Ｄ）及び１７（Ｅ）は、撮像レンズ１７のメリディオナルコマ収差を示している。
【０１１４】
（実施例８）
実施例８の撮像レンズ１０の全体諸元を以下に示す。
f=3.7mm
fB=0.37mm
F=2.22
2Y=5.868mm
ENTP=0mm
EXTP=-1.96mm
H1=-2.16mm
H2=-3.33mm                    
【０１１５】
実施例８のレンズ面の非球面係数を以下の表２２に示す。
〔表２２〕
面番号      R(mm)      D(mm)      Nd       νd     有効半径(mm)
1(STOP)  infinity    -0.202                         0.83
2*        1.273       0.509    1.54470    56.2      0.84
3*       12.271       0.051                         0.78
4*       37.784       0.200    1.63470    23.9      0.83
5*        3.335       0.448                         0.81
6*       -7.496       0.246    1.63470    23.9      0.88
7*       -5.953       0.548                         1.06
8*      -22.834       0.250    1.63470    23.9      1.58
9*      -43.586       0.191                         1.82
10*        1.692       0.662    1.54470    56.2      2.28
11*        1.110       0.400                         2.44
12        infinity     0.210    1.51630    64.1      3.20
13        infinity                                   3.20
【０１１６】
実施例８のレンズ面の非球面係数を以下の表２３に示す。
〔表２３〕
第2面
K=-0.47112E+00, A3=0.00000E+00, A4=0.38617E-01, A5=0.00000E+00, 
A6=-0.82090E-02, A7=0.00000E+00, A8=0.19628E-01, A10=-0.10254E-01, 
A12=0.52052E-01, A14=-0.35275E-01, A16=-0.13338E+00
第3面
K=-0.70000E+02, A4=-0.96132E-02, A6=0.71121E-02, A8=-0.15113E-01, 
A10=-0.86044E-01, A12=-0.19397E-01, A14=-0.47178E-02, 
A16=-0.10148E-01
第4面
K=0.70000E+02, A4=0.34202E-01, A6=0.56014E-01, A8=-0.42791E-01, 
A10=-0.54575E-01, A12=-0.58978E-02, A14=0.91003E-01, 
A16=-0.12762E-01
第5面
K=-0.98379E+01, A4=0.12643E+00, A6=0.92543E-01, A8=-0.32478E-01, 
A10=0.88809E-01, A12=0.50953E-01, A14=0.69890E-02, 
A16=0.14513E-01
第6面
K=0.70000E+02, A3=0.75115E-01, A4=-0.24807E+00, A5=0.12120E-01, 
A6=0.10658E+00, A7=-0.22471E-01, A8=-0.40292E-01, A10=0.91723E-01, 
A12=0.91698E-01, A14=0.99040E-01, A16=-0.19193E+00
第7面
K=0.28539E+02, A3=0.15666E-01, A4=-0.63293E-01, A5=-0.11010E+00, 
A6=0.10144E-01, A7=0.45189E-01, A8=0.51113E-01, A10=0.18041E-01, 
A12=0.43284E-01, A14=0.52562E-01, A16=-0.63961E-01
第8面
K=-0.70000E+02, A4=0.35211E+00, A6=-0.62446E+00, A8=0.50191E+00, 
A10=-0.26998E+00, A12=0.81896E-01, A14=-0.98874E-02, 
A16=0.00000E+00
第9面
K=0.70000E+02, A4=0.23958E+00, A6=-0.33788E+00, A8=0.19049E+00, 
A10=-0.62880E-01, A12=0.12259E-01, A14=-0.11005E-02, 
A16=0.00000E+00
第10面
K=-0.10698E+02, A4=-0.24812E+00, A6=0.10915E+00, A8=-0.22082E-01, 
A10=0.23035E-02, A12=-0.11384E-03, A14=0.21035E-05, 
A16=0.00000E+00
第11面
K=-0.69452E+01, A3=0.00000E+00, A4=-0.83469E-01, A5=0.00000E+00, 
A6=0.39224E-02, A7=0.00000E+00, A8=0.96475E-02, A10=-0.40901E-02, 
A12=0.62750E-03, A14=-0.32670E-04, A16=0.00000E+00
【０１１７】
実施例８の単レンズデータを以下の表２４に示す。
〔表２４〕
レンズ            始面              焦点距離(mm)
1                  2                   2.566
2                  4                  -5.777
3                  6                  42.899
4                  8                 -75.919
5                 10                  -9.890
【０１１８】
図１８は、実施例８の撮像レンズ１８等の断面図である。撮像レンズ１８は、物体側より順に、光軸ＡＸ近傍で正の屈折力を有し物体側に凸面を向けたメニスカス形状を有する第１レンズＬ１と、光軸ＡＸ近傍で負の屈折力を有し像側に凹面を向けた平凹に近い第２レンズＬ２と、光軸ＡＸ近傍で弱い正の屈折力を有し像側に凸面を向けたメニスカス形状を有する第３レンズＬ３と、光軸ＡＸ近傍で弱い負の屈折力を有し平板に近い第４レンズＬ４と、光軸ＡＸ近傍で負の屈折力を有し物体側に凸面を向けたメニスカス形状を有する第５レンズＬ５とを備える。全てのレンズＬ１〜Ｌ５は、プラスチック材料から形成されている。第１レンズＬ１の物体側面Ｓ１１側には、開口絞りＳが配置されている。第５レンズＬ５の光射出面と撮像面（像面）Ｉとの間には、適切な厚さの平行平板Ｆが配置されている。
【０１１９】
図１９（Ａ）〜１９（Ｃ）は、実施例８の撮像レンズ１８の球面収差、非点収差及び歪曲収差を示し、図１９（Ｄ）及び１９（Ｅ）は、撮像レンズ１８のメリディオナルコマ収差を示している。
【０１２０】
以下の表２５は、参考のため、各条件式（１）〜（７）に対応する各実施例１〜８の値をまとめたものである。
〔表２５〕
2015087495.tif 000004
【０１２１】
以上、実施形態や実施例に即して本発明を説明したが、本発明は、上記実施形態等に限定されるものではない。
【０１２２】
近年、撮像装置を低コストにかつ大量に実装する方法として、予め半田がポッティングされた基板に対し、ＩＣチップその他の電子部品と光学素子とを載置したままリフロー処理（加熱処理）し、半田を溶融させることにより電子部品と光学素子とを基板に同時実装するという技術が提案されている。このようなリフロー処理を用いて実装を行うためには、電子部品とともに光学素子を約２００〜２６０℃に加熱する必要があるが、このような高温下では、熱可塑性樹脂を用いたレンズは熱変形し又は変色して、その光学性能が低下してしまうという問題点がある。このような問題を解決するための方法のひとつとして、耐熱性能に優れたガラスモールドレンズを使用し、小型化と高温環境での光学性能とを両立する技術が提案されているが、熱可塑性樹脂を用いたレンズよりも一般にコストが高い。そのため、撮像装置の低コスト化の要求に応えられないという問題があった。そこで、実施例１〜８の撮像レンズ１１〜１８の材料にエネルギー硬化性樹脂を使用することで、ポリカーボネイト系やポリオレフィン系のような熱可塑性樹脂を用いたレンズに比べ、高温に曝されたときの光学性能の低下を小さくすることができる。そのため、撮像レンズ１１〜１８は、リフロー処理に有効であり、かつガラスモールドレンズよりも製造しやすく安価となり、撮像レンズを組み込んだ撮像装置の低コストと量産性とを両立できる。よって、本実施形態のレンズＬ１〜Ｌ５を上記エネルギー硬化性樹脂を用いて形成してもよい。なお、エネルギー硬化性樹脂とは、一般的に熱硬化性樹脂、紫外線硬化性樹脂等を指す。
【０１２３】
なお、上記実施例１〜８は、撮像素子５１の撮像面Ｉに入射する光束の主光線入射角については、撮像面Ｉの周辺部において必ずしも十分小さい設計になっていない。しかし、最近の技術では、撮像素子５１の色フィルターやオンチップマイクロレンズアレイの配列の見直しによって、シェーディングを軽減することができるようになってきた。具体的には撮像素子５１の撮像面Ｉの画素ピッチに対し、色フィルターやオンチップマイクロレンズアレイの配列のピッチをわずかに小さく設定すれば、撮像面Ｉの周辺部にいくほど各画素に対し色フィルターやオンチップマイクロレンズアレイが撮像レンズ１０（１１〜１８）の光軸ＡＸ側へシフトするため、斜入射の光束を効率的に各画素の受光部に導くことができる。これにより、撮像素子５１で発生するシェーディングを小さく抑えることができる。上記実施例１〜８は、上述の要求が緩和された分について、より小型化を目指した設計例となっている。
【０１２４】
また、本明細書内で「光軸近傍で凸面」とは、その面の形状を定義している関数の数値によらず、光軸ＡＸ上から微小量離れた点（例えば０．０５ｍｍ）での面のサグ量が、レンズの物体側面であれば正の値、像側面では負の値を取る面のことを意味する。逆に、「光軸近傍で凸面」とは、光軸ＡＸ上から微小量離れた点（例えば０．０５ｍｍ）での面のサグ量が、レンズの物体側面であれば負の値、像側面では正の値を取る面のことを意味する。ここで、レンズの偏芯量の検出や偏芯調整等の目的で、レンズ面中心部に光学面の関数とは異なる不連続な形状を付加している場合には、その不連続な形状は考慮せず、本来の光学面の関数でサグ量を計算するものとする。なお、レンズ中央近傍（具体的には、レンズ外径に対して１０％以内の中央領域）での形状測定値を最小自乗法でフィッティングした際の近似曲率半径が正であれば、光軸ＡＸ近傍で凸面であるとみなすことができる。また、例えば２次の非球面係数を使用した場合には、非球面定義式の基準曲率半径に２次の非球面係数も勘案した曲率半径を近軸曲率半径とみなすことができる（例えば参考文献として、松居吉哉著「レンズ設計法」（共立出版株式会社）のＰ４１〜４２を参照のこと）。
【符号の説明】
【０１２５】
１０，１１〜１８…撮像レンズ、  ５０…カメラモジュール、  ５１…撮像素子、  ５６…小絞り機構、  １００…撮像装置、  ３００…携帯通信端末、  ＡＸ…光軸、  Ｌ１〜Ｌ５…レンズ、  ＯＰ…開口部
【図１】
2015087495.tif 000005
【図２】
2015087495.tif 000006
【図３】
2015087495.tif 000007
【図４】
2015087495.tif 000008
【図５】
2015087495.tif 000009
【図６】
2015087495.tif 000010
【図７】
2015087495.tif 000011
【図８】
2015087495.tif 000012
【図９】
2015087495.tif 000013
【図１０】
2015087495.tif 000014
【図１１】
2015087495.tif 000015
【図１２】
2015087495.tif 000016
【図１３】
2015087495.tif 000017
【図１４】
2015087495.tif 000018
【図１５】
2015087495.tif 000019
【図１６】
2015087495.tif 000020
【図１７】
2015087495.tif 000021
【図１８】
2015087495.tif 000022
【図１９】
2015087495.tif 000023